(57)【要約】      （修正有）【課題】重力に依存せずに液体を押し出して点滴できるようにする点滴装置を提供する。【解決手段】点滴装置１は、加圧容器２と、加圧容器２に収容される輸液容器３と、加圧容器２に設けられ、輸液容器３と加圧容器２の外部を接続するコネクタ４と、加圧容器２の内部に収容される第１の物質２１に対する作用によって、気体Ｇを発生させる気体発生促進ユニット５と、を備え、発生した気体Ｇによって輸液容器３を加圧する。【選択図】図１
0003231645.tif 000002
【実用新案登録請求の範囲】
【請求項１】
加圧容器と、
前記加圧容器に収容される輸液容器と、
前記加圧容器に設けられ、前記輸液容器と前記加圧容器の外部を接続するコネクタと、
前記加圧容器の内部に収容される第１の物質に対する作用によって、気体を発生させる気体発生促進ユニットと、を備え、
発生した気体によって前記輸液容器を加圧する
点滴装置。
【請求項２】
請求項１に記載の点滴装置であって、
前記気体発生促進ユニットは、前記第１の物質から隔てて第２の物質を収容し、前記第２の物質を解放するために破損又は開放可能な容器であり、前記加圧容器に収容され、
前記第１の物質に前記第２の物質が作用することにより気体が発生する
点滴装置。
【請求項３】
請求項２記載の点滴装置であって、
前記気体発生促進ユニットは、ユーザから力が加わることにより破損又は開放するカプセル容器である
点滴装置。
【請求項４】
請求項１に記載の点滴装置であって、
前記気体発生促進ユニットは、前記第１の物質の中に露出する２本の電極を有し、前記第１の物質に電圧を加える装置であり、
前記第１の物質に電圧がかかることによる電気分解により気体が発生する
点滴装置。
【考案の詳細な説明】
【技術分野】
【０００１】
本考案は、点滴装置、及び点滴方法に関する。
【背景技術】
【０００２】
１００年以上前から、薬剤等の液体を患者に注入する点滴では、点滴バッグを点滴スタンドに吊り下げ、重力を利用した自然落下により液体がチューブの中を流れ、注射針を介して患者の体内に投与される。
【０００３】
例えば、特許文献１には、点滴スタンドについて記載されている。
【先行技術文献】
【特許文献】
【０００４】
【特許文献１】特開２０１８−００７７６６号公報
【考案の概要】
【考案が解決しようとする課題】
【０００５】
点滴スタンドは、比較的大きく重さがあるため、患者が移動する際には大きな負担となるし、移動範囲も制限してしまう。
【０００６】
また、在宅医療や訪問医療、事故や災害の現場では、点滴スタンドを用意できないことがある。このような状況では、患者本人や医療従事者が、手で点滴バッグを持ち上げて点滴スタンドの代わりをしなければならない。
【０００７】
また、高軌道宇宙空間などでの低重力環境下（例えば、宇宙ステーションや宇宙船の中、月（1/6G）や火星（1/3G）などの基地施設）では、重力を利用した点滴を行うことができない。点滴バッグを手指で押圧することで液体を流すことができるが、安定した圧力をかけるのは難しい。
【０００８】
本考案は、上記問題に鑑みてなされたものであり、重力に依存せずに液体を押し出して点滴できるようにする技術を提供することを目的とする。
【課題を解決するための手段】
【０００９】
上記の課題を解決する本考案の一態様は、点滴装置であって、加圧容器と、前記加圧容器に収容される輸液容器と、前記加圧容器に設けられ、前記輸液容器と前記加圧容器の外部を接続するコネクタと、前記加圧容器の内部に収容される第１の物質に対する作用によって、気体を発生させる気体発生促進ユニットと、を備え、発生した気体によって前記輸液容器を加圧する。
【００１０】
前記気体発生促進ユニットは、前記第１の物質から隔てて第２の物質を収容し、前記第２の物質を解放するために破損又は開放可能な容器であり、前記加圧容器に収容され、前記第１の物質に前記第２の物質が作用することにより気体が発生するようにしてもよい。
【００１１】
前記気体発生促進ユニットは、ユーザから力が加わることにより破損又は開放するカプセル容器であってもよい。
【００１２】
前記気体発生促進ユニットは、前記第１の物質の中に露出する２本の電極を有し、前記第１の物質に電圧を加える装置であり、前記第１の物質に電圧がかかることによる電気分解により気体が発生するようにしてもよい。
【００１３】
上記の課題を解決する本考案の他の態様は、点滴方法であって、加圧容器に輸液容器を収容し、前記加圧容器に設けられ前記加圧容器の内部と外部を連通させるコネクタに、前記輸液容器を接続し、前記加圧容器の内部に第１の物質を収容し、前記第１の物質に対して第２の物質又は電圧を作用させて気体を発生させ、発生した気体によって前記輸液容器を加圧する。
【考案の効果】
【００１４】
本考案によれば、重力に依存せずに液体を押し出して点滴できる。
【図面の簡単な説明】
【００１５】
【図１】図１は、本考案の第１実施形態に係る点滴装置の概略構成例を示す図である。
【図２】図２は、本考案の第２実施形態に係る点滴装置の概略構成例を示す図である。
【考案を実施するための形態】
【００１６】
以下、本考案の複数の実施形態について図面に基づいて説明する。なお、各実施形態を説明するための全図において、同一の部材には原則として同一の符号を付し、その繰り返しの説明は省略する。また、以下の各実施形態において、その構成要素（要素ステップ等も含む）は、特に明示した場合および原理的に明らかに必須であると考えられる場合等を除き、必ずしも必須のものではないことは言うまでもない。また、特にその要素のみである旨明示した場合等を除き、それ以外の要素を排除するものでないことは言うまでもない。同様に、以下の各実施形態において、構成要素等の形状、位置関係等に言及するときは、特に明示した場合および原理的に明らかにそうでないと考えられる場合等を除き、実質的にその形状、位置関係等に近似または類似するもの等を含むものとする。
【００１７】
［第１実施形態］
図１は、第１実施形態に係る点滴装置の概略構成例を示す図である。Ａは、気体が発生する前の待機状態を示し、Ｂは、気体が発生した使用状態を示す。
【００１８】
点滴装置１は、加圧容器２、輸液容器３、コネクタ４、及び気体発生促進ユニット５を備える。
【００１９】
加圧容器２は、密閉容器であり、輸液容器３と気体発生促進ユニット５を収容している。加圧容器２の壁には、コネクタ４が設けられており、輸液容器３の口部（図示せず）がコネクタ４に接続されている。加圧容器２には、第１の物質２１が収容されている。
【００２０】
加圧容器２は、いわゆる点滴バッグのように、その容積を所定の限度範囲内で内容物の量に応じて変更可能に構成される。加圧容器２の素材は、特に限定されないが、例えば薄い柔軟なプラスチックを採用することができる。加圧容器２は、複数の素材を使って構成されてもよい。
【００２１】
輸液容器３は、薬剤等の液体３１を密封した容器であり、いわゆる点滴バッグのように、その容積を所定の限度範囲内で内容物の量に応じて変更可能に構成される。輸液容器３の素材は、特に限定されないが、例えば薄い柔軟なプラスチックを採用することができる。輸液容器３は、複数の素材を使って構成されてもよい。
【００２２】
輸液容器３の口部（図示せず）には、ゴム栓などのシール部材が設けられており、このシール部材を貫通又は開通させることで、内容物の取り出しが可能となる。
【００２３】
コネクタ４は、加圧容器２の内部と外部を連通する貫通孔（図示せず）が設けられており、加圧容器２の内側から輸液容器３の口部を装着すると、輸液容器３の内部と加圧容器２の外部とが連通するように構成されている。
【００２４】
コネクタ４と輸液容器３の口部の着脱構造は、特に限定されないが、例えば、輸液容器３の円筒形の口部の外周に切られたねじ（雄）と、円筒形のコネクタ４の内周に切られたねじ（雌）とを含むねじ構造とすることができる。他の例としては、コネクタ４に輸液容器３を回すことなく圧入又は嵌入して着脱可能なソケット構造であってもよい。
【００２５】
コネクタ４に加圧容器２の内側から輸液容器３の口部を装着すると、輸液容器３の口部の端面が加圧容器２の外部に露出する。露出した端面に現れるゴム栓等のシール部材に、例えば、チューブＴに接続されたびん針（通気口付き）を突き刺すことで、輸液容器３の内部とチューブＴ内とが連通する。
【００２６】
気体発生促進ユニット５は、密閉容器であり、第１の物質２１から隔てて第２の物質５１を収容している。気体発生促進ユニット５は、例えば、カプセル容器であり、容器の壁は、変形させるなどしてユーザから所定値以上の力が加わることにより破損又は開放するように構成されている。カプセル容器の素材は、特に限定されないが、例えば薄いプラスチックを採用することができる。カプセル容器は、複数の素材を使って構成されてもよい。気体発生促進ユニット５は、加圧容器２の内壁に固定されているのが好ましい。
【００２７】
Ｂを参照すると分かるように、本実施形態では、例えば、ユーザが加圧容器２の外側から加圧容器２の内部の気体発生促進ユニット５を手指で掴み、力を加えると、気体発生促進ユニット５の容器の壁が破損又は開放する。破損又は開放した箇所を通じて第２の物質５１が解放され、気体発生促進ユニット５の内部から外部、すなわち加圧容器２内の第１の物質２１に流れ出し、混入する。第１の物質２１に第２の物質５１が混入すると、化学反応などの作用が生じて、気体Ｇが発生する。発生した気体Ｇにより、加圧容器２の内圧が高まるとともに輸液容器３に対する圧力が高まり、液体３１が押圧されてコネクタ４を通じてチューブＴに流れ出す。
【００２８】
第１の物質２１及び第２の物質５１として使用される物質は、これらが反応することにより気体を発生させることができれば特に限定されない。発生する気体の例としては、水素(H2)、酸素(O2)、二酸化炭素(CO2)、アンモニア(NH3)、塩化水素(HCl)、硫化水素(H2S)などが挙げられるが、炭酸ガス(CO2)が望ましい。第１の物質２１と第２の物質５１の反応の例は下記のとおりである。
【００２９】
（１）第１の物質２１＝炭酸カルシウム(CaCO3)に、第２の物質５１＝塩酸(HCl)を反応させ、二酸化炭素(CO2)を得る。
化学式：CaCO3＋2HCl→CaCl2＋H2O＋CO2
（２）第１の物質２１＝炭酸水素ナトリウム(NaHCO3)に、第２の物質５１＝酢酸(CH3COOH)を反応させ、二酸化炭素(CO2)を得る。酢酸の代わりにクエン酸を用いてもよい。
化学式：NaHCO3+CH3COOH→CH3COONa+H2O+CO2
【００３０】
なお、第１の物質２１と第２の物質５１に使用される物質を逆にしてもよい。
【００３１】
以上、本考案の第１実施形態について説明した。本実施形態によれば、重力に依存せずに液体を押し出して点滴する技術を提供することができる。例えば、輸液容器の高さや姿勢に関係なく、また、点滴スタンドがなくても、点滴投与が可能になる。また例えば、点滴装置に紐を取り付けて首や肩から下げたり、点滴装置を服に貼り付けたり服のポケットに収納したりすれば、患者の移動が制限されない。さらに例えば、高軌道宇宙空間などの低重力環境下（例えば、宇宙ステーションや宇宙船の中、月（1/6G）や火星（1/3G）などの基地施設）であっても、点滴治療を可能にすることができる。
【００３２】
［第２実施形態］
図２は、第２実施形態に係る点滴装置の概略構成例を示す図である。Ａは、気体が発生する前の待機状態を示し、Ｂは、気体が発生した使用状態を示す。以下、第１実施形態と異なる点を中心に説明する。
【００３３】
第２実施形態に係る点滴装置１Ａは、第１実施形態の点滴装置１と異なり、気体発生促進ユニット５の代わりに、気体発生促進ユニット６を備える。気体発生促進ユニット６は、加圧容器２の壁に設けられるか、加圧容器２に内蔵される。気体発生促進ユニット６は、加圧容器２に対して固定されているのが好ましい。
【００３４】
気体発生促進ユニット６は、２本以上の電極６１と、電極６１間の電圧を制御するためのコントローラ、バッテリなどの電源、電源スイッチ（いずれも図示せず）などを備える装置である。電極６１は、加圧容器２の内部、すなわち第１の物質２１の中に露出している。
【００３５】
Ｂを参照すると分かるように、本実施形態では、例えば、ユーザが気体発生促進ユニット６の電源スイッチをオンにすると、コントローラが電極６１間の電圧をかける、すなわち、電極６１を介して第１の物質２１に電圧かかる。電圧が作用することにより、第１の物質２１が電気分解され、気体Ｇが発生する。発生した気体Ｇにより、加圧容器２の内圧が高まるとともに輸液容器３に対する圧力が高まり、液体３１が押圧されてコネクタ４を通じてチューブＴに流れ出す。
【００３６】
なお、点滴装置１Ａは、加圧容器２内の圧力を計測する圧力センサを備えてもよい。気体発生促進ユニット６のコントローラは、例えば、加圧容器２内に設けられた圧力センサから出力される圧力データを取得して圧力を監視し、所定の圧力（例えば輸液するのに最適な圧力）を維持するように、電源スイッチをオンオフ、又は電極６１への印可をオンオフ若しく電圧を増減させる制御を行ってもよい。
【００３７】
第１の物質２１として使用される物質は、電気分解により気体を発生させることができれば特に限定されない。第１の物質２１の電気分解の例は下記のとおりである。
【００３８】
（１）第１の物質２１＝(H2O)に電流を流し、水素(H2)と酸素(O2)を得る。
化学式：2H2O→2H2＋O2
（２）第１の物質２１＝塩化水素(HCl)の水溶液(H+＋Cl-)に電流を流し、塩素(Cl2)と水素(H2)を得る。
（３）第１の物質２１＝塩化銅(CuCl2)の水溶液(2Cl-＋Cu2+)に電流を流し、塩素(Cl2)を得る。
【００３９】
以上、本考案の第２実施形態について説明した。本実施形態によれば、第１実施形態と同様の効果を得られる。また、物質を１つ用意すればよいので、低い製造コストを期待できる。
【００４０】
本考案は、上記の実施形態に限定されず、本考案の要旨の範囲内で種々の変形実施が可能であり、それらの態様を含むものである。ある実施形態の一部の構成要素を、他の実施形態に加えたり、他の実施形態の一部の構成要素と置換したりしてもよい。ある実施形態の構成要素のうち、一部の構成要素を省略することもできる。
【００４１】
本考案は、点滴装置に限らず、点滴システム、点滴方法などの様々な態様で提供することができる。
【符号の説明】
【００４２】
１…点滴装置、１Ａ…点滴装置、２…加圧容器、３…輸液容器、４…コネクタ、５…気体発生促進ユニット、６…気体発生促進ユニット、２１…第１の物質、３１…液体、５１…第２の物質、６１…電極
【図１】
0003231645.tif 000003
【図２】
0003231645.tif 000004